(57)【要約】    【課題】  装飾レンズの異なるレンズ部を発光させることができるにも拘わらず、簡単な構造で容易且つ安価に製造できるようにする。    【解決手段】  装飾レンズ４０の後方に、基板４４に装着され且つ装飾レンズ４０を発光させるための発光体４６ａ，４６ｂを備えた遊技機において、装飾レンズ４０は第１レンズ部４０ａと第２レンズ部４０ｂとを有し、同一の基板４４に第１レンズ部４０ａ用の第１発光体４６ａと第２レンズ部４０ｂ用の第２発光体４６ｂとを設け、第１発光体４６ａを第１レンズ部４０ａに対向させて基板４４を配置し、第２発光体４６ｂからの光を第２レンズ部４０ｂへと反射させる反射部４８ｄを設ける。【選択図】    図７
2007313011.tif 000002
【特許請求の範囲】
【請求項１】
装飾レンズ（４０）（４１）の後方に、基板（４４）（４５）に装着され且つ前記装飾レンズ（４０）（４１）を発光させるための発光体（４６ａ）（４６ｂ）（４７ａ）（４７ｂ）を備えた遊技機において、前記装飾レンズ（４０）（４１）は第１レンズ部（４０ａ）（４１ａ）と第２レンズ部（４０ｂ）（４１ｂ）とを有し、同一の前記基板（４４）（４５）に前記第１レンズ部（４０ａ）（４１ａ）用の第１発光体（４６ａ）（４７ａ）と前記第２レンズ部（４０ｂ）（４１ｂ）用の第２発光体（４６ｂ）（４７ｂ）とを設け、前記第１発光体（４６ａ）（４７ａ）を前記第１レンズ部（４０ａ）（４１ａ）に対向させて前記基板（４４）（４５）を配置し、前記第２発光体（４６ｂ）（４７ｂ）からの光を前記第２レンズ部（４０ｂ）（４１ｂ）へと反射させる反射部（４８ｄ）（４９ｄ）を設けたことを特徴とする遊技機。
【請求項２】
前記第１レンズ部（４０ａ）（４１ａ）と前記第２レンズ部（４０ｂ）（４１ｂ）との境界部に対応して前記反射部（４８ｄ）（４９ｄ）を配置したことを特徴とする請求項１に記載の遊技機。
【請求項３】
前記装飾レンズ（４０）（４１）はその境界部の両側で前記第１レンズ部（４０ａ）（４１ａ）と前記第２レンズ部（４０ｂ）（４１ｂ）との向きが異なることを特徴とする請求項１又は２に記載の遊技機。
【請求項４】
前記装飾レンズ（４０）（４１）は前内向き又は前外向きに配置された前記第１レンズ部（４０ａ）（４１ａ）と、該第１レンズ部（４０ａ）（４１ａ）の前端側から前外向き又は前内向きに屈曲する前記第２レンズ部（４０ｂ９（４１ｂ）とを有し、前記基板（４４）（４５）は前記第１レンズ部（４０ａ）（４１ａ）と対向して配置したことを特徴とする請求項１〜３の何れかに記載の遊技機。
【請求項５】
前記基板（４４）（４５）の前面側に、その開口（４８ｂ）（４９ｂ）に前記第１発光体（４６ａ）（４７ａ）が嵌合する反射板（４８）（４９）を配置すると共に、該反射板（４８）（４９）の前記第２レンズ部（４０ｂ）（４１ｂ）側に前記反射部（４８ｄ）（４９ｄ）を一体に設け、前記第１発光体（４６ａ）（４７ａ）を前側から覆い且つ前記第１発光体（４６ａ）（４７ａ）からの光により発光する発光カバー（５０）（５１）を配置し、前記基板（４４）（４５）、前記反射板（４８）（４９）及び前記発光カバー（５０）（５１）を基板取り付け台（５２）（５３）に固定したことを特徴とする請求項１〜３の何れかに記載の遊技機。
【発明の詳細な説明】
【技術分野】
【０００１】
本発明は、スロットマシン等の遊技機、取り分けその発光式の装飾レンズの後方に発光体を配置した発光装飾部の改良に関するものである。
【背景技術】
【０００２】
スロットマシン等の遊技機では、筐体の前側に開閉自在に装着された前面パネルの上下方向の中間に、各種の操作ボタンが設けられた操作パネル部を配置すると共に、この操作パネル部の上側に、複数個の図柄表示リールを有する表示リールユニット等の遊技図柄表示手段に対応する表示窓を配置し、遊技図柄表示手段を取り囲むようにその左右両側等に発光装飾手段を配置している（特許文献１、２）。
【０００３】
発光装飾手段は、通常、装飾レンズの後方に多数の発光体を配置し、この発光体からの光を装飾レンズに照射して、その装飾レンズの乱反射部で光を乱反射させて装飾レンズを発光させることにより、遊技状態を視覚的に演出するようになっている。
【特許文献１】特開２００３−２２５３５３号公報
【特許文献２】特開２００４−１６３２０号公報
【発明の開示】
【発明が解決しようとする課題】
【０００４】
従来の発光装飾手段は、基板に装着された多数の発光体を、光透過性、乱反射性を有する装飾レンズにより前側から覆い、その発光体からの光を装飾レンズに後方側から照射して装飾レンズを発光させる構造であるため、発光部分が装飾レンズの前面側に限られる等の問題がある。
【０００５】
また装飾レンズの前面部分と側面部分とを発光させるようにした発光装飾手段もある。しかし、この場合には前面用の発光体を備えた基板と、側面用の発光体を備えた基板とを備え、その各基板を各発光部分に対応して個別に取り付けているため、構造的に複雑になり製造コストがアップする欠点がある。
【０００６】
本発明は、このような従来の問題点に鑑み、装飾レンズの異なるレンズ部を発光させることができるにも拘わらず、簡単な構造で容易且つ安価に製造できる遊技機を提供することを目的とする。
【課題を解決するための手段】
【０００７】
本発明は、装飾レンズ４０，４１の後方に、基板４４，４５に装着され且つ前記装飾レンズ４０，４１を発光させるための発光体４６ａ，４６ｂ，４７ａ，４７ｂを備えた遊技機において、前記装飾レンズ４０，４１は第１レンズ部４０ａ，４１ａと第２レンズ部４０ｂ，４１ｂとを有し、同一の前記基板４４，４５に前記第１レンズ部４０ａ，４１ａ用の第１発光体４６ａ，４７ａと前記第２レンズ部４０ｂ，４１ｂ用の第２発光体４６ｂ，４７ｂとを設け、前記第１発光体４６ａ，４７ａを前記第１レンズ部４０ａ，４１ａに対向させて前記基板４４，４５を配置し、前記第２発光体４６ｂ，４７ｂからの光を前記第２レンズ部４０ｂ，４１ｂへと反射させる反射部４８ｄ，４９ｄを設けたものである。
【発明の効果】
【０００８】
本発明では、装飾レンズ４０，４１の異なるレンズ部４０ａ，４１ａ、４０ｂ，４１ｂを発光させることができるにも拘わらず、簡単な構造で容易且つ安価に製造できる利点がある。
【発明を実施するための最良の形態】
【０００９】
以下、本発明の実施形態を図面に基づいて詳述する。図面は本発明をスロットマシンとして具現化した実施例を例示している。図１〜図３において、１は遊技機本体であり、筐体２と、この筐体２の前側に配置された矩形状の前面パネル３とを備えている。筐体２は前側が開放する箱形に形成されており、その前側を開閉自在に閉鎖するように前面パネル３が装着されている。
【００１０】
筐体２内には、図２に示すように、上部に左右方向に複数個の図柄表示リール５ａ〜５ｃを有する表示リールユニット６が設けられ、、下部にメダル払い出し装置７、メダル補助ケース８、電源基板ケース９が設けられ、上下方向の中間に主制御基板ケース１０が設けられている。表示リールユニット６は筐体２の中間棚１１上に着脱自在に装着されており、この表示リールユニット６により、複数個の遊技図柄を変動表示可能な第１の遊技図柄表示手段が構成されている。
【００１１】
メダル払い出し装置７は、図２に示すように払い出し用のメダルを貯留するメダルホッパー１２と、メダルホッパー１２内のメダルを払い出すメダル払い出し手段１３と、メダルホッパー１２から溢れたメダルをメダル補助ケース８側に排出する余剰メダル排出口１４等を備え、底板１５上に着脱自在に装着されている。
【００１２】
前面パネル３は骨格体を構成するパネル体１６を備え、このパネル体１６は左右一端側のヒンジ手段（図示省略）を介して筐体２に開閉自在に装着されている。前面パネル３の上部側には、図１、図３に示すように、矩形状の第１表示窓１７と第２表示窓１８とが上下に配置されると共に、その左右両側等の所定位置に、遊技状態を発光により視覚的に演出し装飾する第１〜第４発光装飾手段１９〜２２と、遊技状態を放音により聴覚的に演出する上スピーカ２３とが配置されている。
【００１３】
前面パネル３の上下方向の中間部には、その上部に上操作パネル部２４、前操作パネル部２５、前面に装飾パネル２６を有する前カバー２７が配置されている。また前面パネル３の下部には、メダル排出口２８、メダル受け皿２９、灰皿３０、下スピーカ３１等が配置されている。
【００１４】
第１表示窓１７は、筐体２側の図柄表示リール５ａ〜５ｃに対応して矩形状に形成されており、遊技者はこの第１表示窓１７を介して図柄表示リール５ａ〜５ｃを前側から視認可能となっている。第２表示窓１８は、前面パネル３の裏側に装着された液晶表示ユニット３２に対応して、第１表示窓１７よりも大型の矩形状に形成されており、遊技者はこの第２表示窓１８を介して液晶表示ユニット３２の表示画面を前側から視認可能となっている。
【００１５】
なお、液晶表示ユニット３２は、複数個の遊技図柄を変動表示可能な第２の遊技図柄表示手段と、その他の演出図柄等を可変表示する表示手段とを兼用しているが、その何れか一方の専用でもよい。また液晶表示ユニット３２に代えて表示リールユニットを設けてもよい。
【００１６】
上操作パネル部２４には、その左右方向の一端側に１ベットボタン３３、マックスベットボタン３４、キャンセルボタン３５が設けられ、他端側に遊技媒体としてのメダルを投入可能なメダル投入口手段３６が設けられている。
【００１７】
前操作パネル部２５には、図柄表示リール５ａ〜５ｃの回転を開始させるためのスタートレバー３７、回転中の図柄表示リール５ａ〜５ｃを夫々個別に停止させるためのストップボタン３８ａ〜３８ｃ、メダル投入口手段３６内に詰まったメダルを返却させるための返却ボタン３９等が設けられている。
【００１８】
第１発光装飾手段１９は第１表示窓１７の左右両側に、第２発光装飾手段２０は第２表示窓１８の左右両側に夫々上下方向に配置され、第３発光装飾手段２１は上下の第１表示窓１７と第２表示窓１８との間に、第４発光装飾手段２２は上下の第１発光装飾手段１９と第２発光装飾手段２０との間に夫々左右方向に配置されている。そして、各発光装飾手段１９〜２２はその発光により、そのときの遊技状態を視覚的に演出するようになっている。上スピーカ２３は第１発光装飾手段１９の裏側に配置されている。
【００１９】
なお、各発光装飾手段１９〜２２は、図外の発光制御手段により、そのときの遊技状態に応じて複数種類の発光パターンの何れかを選択して、その選択された発光パターンに従って点滅発光その他の発光形式により制御されている。
【００２０】
第１発光装飾手段１９、第２発光装飾手段２０は、前面パネル３の左右両側に上下方向に一列状に設けられており、図３〜図１０に示すように、前面側に配置された発光装飾用の装飾レンズ４０，４１と、この装飾レンズ４０，４１の後方に配置された発光手段４２，４３とを有する。発光手段４２，４３は、基板４４，４５に装着された１個又は複数個の発光体４６ａ，４７ａ、４６ｂ，４７ｂと、基板４４，４５の前面側に配置された反射板４８，４９と、反射板４８，４９側を前から覆う発光カバー５０，５１とを備え、基板取り付け台５２，５３を介して凹部５４内でパネル体１６に固定されている。
【００２１】
なお、後述の各装飾レンズ５５，６８、発光体６３，７３，７９と同様に、装飾レンズ４０，４１は光透過性を有する無色透明又は着色透明の合成樹脂材料等により構成され、発光体４６ａ，４７ａ、４６ｂ，４７ｂはＬＥＤ、その他の発光素子により構成されている。
【００２２】
装飾レンズ４０，４１は、図６〜図９に示すように、左右方向に対して前内向きに傾斜する第１レンズ部４０ａ，４１ａと、この第１レンズ部４０ａ，４１ａの外端側の小さく湾曲する境界部から後外側へと鋭角方向に屈曲し且つ前外向きに傾斜する第２レンズ部４０ｂ，４１ｂとを有し、境界部側が前側に突出する横断面三角形状に形成されている。従って、装飾レンズ４０，４１は、前内向きの第１レンズ部４０ａ，４１ａの左右幅が前外向きの第２レンズ部４０ｂ，４１ｂよりも大である。なお、装飾レンズ４０，４１は、第４発光装飾手段２２の装飾レンズ５５を介して一体に構成され、パネル体１６の内外両側の縦壁５６に前側から当接してネジ等により固定されている。
【００２３】
装飾レンズ４０，４１には、その内部側が透視し難くなり、しかも光の乱反射により各レンズ部４０ａ，４１ａ、４０ｂ，４１ｂが光の乱反射により発光するように、内面側の略全面に乱反射部４０ｃ，４１ｃ、４０ｄ，４１ｄが形成されている。例えば、第１レンズ部４０ａ，４１ａ側の乱反射部４０ｃ，４１ｃは縦横の細かい格子模様の凹凸面に、第２レンズ部４０ｂ，４１ｂ側の乱反射部４０ｄ，４１ｄは横の細かい格子模様の凹凸面になっている。なお、乱反射部４０ｃ，４１ｃ、４０ｄ，４１ｄは、細かい凹凸形状の他、梨子地等のように細かい凹凸を有する粗面状に形成してもよい。
【００２４】
基板４４，４５には第１レンズ部４０ａ，４１ａに対応する複数個の第１発光体４６ａ，４７ａと、第２レンズ部４０ｂ，４１ｂに対応する複数個の第２発光体４６ｂ，４７ｂとが装着され、装飾レンズ４０，４１の第１レンズ部４０ａ，４１ａに対向して、その第１レンズ部４０ａ，４１ａと略平行に配置されている。
【００２５】
反射板４８，４９は第１発光体４６ａ，４７ａと第２発光体４６ｂ，４７ｂとの中間から前側へとく字状に屈曲しており、その先端が第１レンズ部４０ａ，４１ａと第２レンズ部４０ｂ，４１ｂとの境界側に近接している。そして、反射板４８，４９は、図１１に発光手段４２側を例示するように、屈曲部４８ａ，４９ａを除く部分が第１発光体４６ａ，４７ａの周辺で基板４４，４５の前面に当接しており、その当接部分に第１発光体４６ａ，４７ａに対応して形成された開口４８ｂ，４９ｂａから第１発光体４６ａ，４７ａが前側に露出している。
【００２６】
反射板４８，４９はその前面が第１発光体４６ａ，４７ａ用の第１反射部４８ｃ，４９ｃとなっている。また反射板４８，４９の屈曲部４８ａ，４９ａは第２発光体４６ｂ，４７ｂに対応しており、その裏面が第２発光体４６ｂ，４７ｂからの光を第２レンズ部４０ｂ，４１ｂへと反射させる第２反射部４８ｄ，４９ｄとなっている。
【００２７】
発光カバー５０，５１は第１発光体４６ａ，４７ａからの光の乱反射により、その全面側が発光するように内面側の略全面に乱反射部（図示省略）が形成されており、左右両端を含む外周部分が反射板４８，４９に当接して、この反射板４８，４９を前側から覆うように設けられている。なお、乱反射部は細かい凹凸状、粗面状等に形成されている。
【００２８】
発光カバー５０，５１は後方に突出し基板４４，４５、反射板４８，４９を貫通する１個又は複数個の取り付けボス５０ａ，５１ａを有し、その取り付けボス５０ａ，５１ａがネジ５０ｂ，５１ｂにより基板取り付け台５２，５３に固定されている。基板取り付け台５２，５３は後方に突出する１個又は複数個の取り付けボス５２ａ，５３ａを有し、その取り付けボス５２ａ，５３ａが縦壁５６間の凹部５４内でパネル体１６に着脱自在に固定されている。なお、基板４４，４５、反射板４８，４９、発光カバー５０，５１、基板取り付け台５２，５３は、その一部がパネル体１６の凹部５４内に入り込んでいる。
【００２９】
このように構成すれば、第１発光体４６ａ，４７ａが発光したときに、この第１発光体４６ａ，４７ａと装飾レンズ４０，４１の第１レンズ部４０ａ，４１ａとの間の発光カバー５０，５１が光の乱反射によって発光し、この発光カバー５０，５１で拡散した光が第１レンズ部４０ａ，４１ａの乱反射部４０ｃ，４１ｃに照射するため、第１レンズ部４０ａ，４１ａを発光させることができる。また発光カバー５０，５１があるため、第１レンズ部４０ａ，４１ａ側での部分的な明るさのバラツキを極力防止でき、その全体を略均一に発光させることができる。
【００３０】
反射板４８，４９の前面が第１発光体４６ａ，４７ａ用の第１反射部４８ｃ，４９ｃとなっているため、発光カバー５０，５１で反射した光を再度発光カバー５０，５１側へと反射させることができ、第１反射部４８ｃ，４９ｃがない場合に比較して第１レンズ部４０ａ，４１ａ側を明るくすることができる。
【００３１】
また第２発光体４６ｂ，４７ｂが発光すると、その光が第２反射部４８ｄ，４９ｄを介して装飾レンズ４０，４１の第２レンズ部４０ｂ，４１ｂに照射し、第２レンズ部４０ｂ，４１ｂが前内向きの第１レンズ部４０ａ，４１ａとは異なる外前向きであるにも拘わらず、その第２レンズ部４０ｂ，４１ｂを第２発光体４６ｂ，４７ｂからの光によって容易且つ確実に発光させることができる。
【００３２】
しかも、第２反射部４８ｄ，４９ｄにより第２発光体４６ｂ，４７ｂからの光を第２レンズ部４０ｂ，４１ｂへと反射させるようにしているので、第２発光体４６ｂ，４７ｂを第１発光体４６ａ，４７ａと共に１個の基板４４，４５に装着でき、構造的に簡素化することができる。また１個の反射板４８，４９を第１発光体４６ａ，４７ａ用と第２発光体４６ｂ，４７ｂ用とに兼用しているので、両反射部４８ｃ，４９ｃ、４８ｄ，４９ｄを別々に設ける場合に比較して構造を更に簡単にすることができる。
【００３３】
上スピーカ２３は、図３〜図５、図９、図１０に示すように、第１発光装飾手段１９の第１レンズ部４０ａに対応してパネル体１６の裏側に装着されている。即ち、第１発光装飾手段１９の装飾レンズ４０には、その第１レンズ部４０ａの上下方向の中間に放音口５８が形成され、また上スピーカ２３側へと凹部５４内に突出する角筒状の放音ダクト５９が放音口５８の裏側に対応して一体に形成されている。
【００３４】
放音口５８には左右方向の前後の横桟５８ａ，５８ｂが上下方向に交互に配置されている。放音ダクト５９は後端が上スピーカ２３に近接するように装飾レンズ４０と上スピーカ２３との間に配置されており、この放音ダクト５９の後端とパネル体１６との間に多孔板６０が介在されている。放音ダクト５９の外側方で第１発光装飾手段１９の発光手段４２の裏側には、放音ダクト５９に光を照射して発光させるための発光手段６１が配置され、また放音ダクト５９の外周面には、発光手段６１からの光を乱反射させる乱反射部５９ａが略全面に形成されている。
【００３５】
乱反射部５９ａは前後方向の凹凸筋を幅方向に多数形成して成り、装飾レンズ４０の前側から見たときに、第１レンズ部４０ａの放音口５８の周縁部分で放音ダクト５９が発光するようになっている。なお、乱反射部５９ａは細かい縦横模様、横模様、縦模様等の凹凸を有する凹凸状、梨子地等の凹凸を有する粗面状に形成してもよい。
【００３６】
発光手段６１は基板６２に装着された１個又は複数個の発光体６３を有し、その基板６２は放音ダクト５９と反対側に配置された基板取り付け台６４の側面にネジ６５等により固定されている。基板取り付け台６４は、図１２に示すように、上下一対の係合爪６６ａと、その間に配置された取り付けボス６６ｂとを有し、基板６２が放音ダクト５９の側面と略平行となり且つ発光体６３が放音ダクト５９の一側面に近接するように、放音ダクト５９の外側近傍でパネル体１６の凹部５４内に係合爪６６ａ、ネジ６６ｃ等により固定されている。
【００３７】
なお、第１発光装飾手段１９の発光手段４２には、図６、図１１に示すように、放音ダクト５９に対応して切欠き部６７が形成されている。即ち、基板取り付け台５２、反射板４８には放音ダクト５９に対応する切欠き部６７が形成されており、その切欠き部６７に放音ダクト５９が配置されている。基板４４、発光カバー５０は放音ダクト５９を避けて上下に二分割されており、その個々が１個の基板取り付け台５２に固定されている。
【００３８】
このように構成すれば、発光体６３が発光したときに、その光が放音ダクト５９に対して側方から照射し、その乱反射部５９ａで乱反射するため、前側から見た場合に放音口５８の周縁部分で放音ダクト５９自体が発光する。従って、装飾レンズ４０の裏側に上スピーカ２３を配置しているにも拘わらず、第１発光装飾手段１９の発光装飾性を向上させることができる。
【００３９】
また装飾レンズ４０の後方に上スピーカ２３を配置できるため、第１発光装飾手段１９と上スピーカ２３とを離して設ける必要がなく、前面パネル３の上部側の設計の自由度が著しく向上する利点がある。しかも発光手段６１が第１発光装飾手段１９の発光手段４２の裏側にあるため、この発光手段４２の基板取り付け台６４等で発光手段６１を前側から覆うことができ、基板取り付け台６４等が遮光板となって、発光体６３から第１発光装飾手段１９の装飾レンズ４０側への光を遮光し、その光の漏れを防止することができる。
【００４０】
第３発光装飾手段２１と第４発光装飾手段２２は、上下幅が狭く左右方向に長い帯状に構成されている。そして、第３発光装飾手段２１は第１表示窓１７を有する上部パネル１７ａと、パネル体１６に形成された第２表示窓１８用の窓枠１８ａとの間に、第４発光装飾手段２２は第１発光装飾手段１９と第２発光装飾手段２０との間に夫々配置され、図３に示すように正面視において前面パネル３の左右両端間に略直線状に設けられている。
【００４１】
第３発光装飾手段２１は、図１３、図１５に示すように、後側が開放し左右方向に長く構成された箱状の装飾レンズ６８と、この装飾レンズ６８の裏側に配置された発光手段６９とを備えている。装飾レンズ６８はその前端部側の内面に、発光手段６９からの光の乱反射により発光させる乱反射部６８ａが形成されている。そして、装飾レンズ６８は上部パネル１７ａと窓枠１８ａとの間でパネル体１６の挿入孔７０に裏側から挿入され、その後端から下方に突出する取り付け部６８ｂがパネル体１６の窓枠１８ａの後側にネジ７１により固定されている。なお、装飾レンズ６８は上部パネル１７ａ、窓枠１８ａよりも若干突出している。
【００４２】
発光手段６９は板面を上下にして左右方向に水平状に配置された基板７２と、この基板７２の前端部の下面側に左右方向に所定間隔をおいて装着された複数個の発光体７３と、上側に基板７２がネジ７２ａ等により固定された基板取り付け台７４とを備え、基板取り付け台７４の前端部に、発光体７３からの光を装飾レンズ６８の乱反射部６８ａへと反射させる反射部７４ａがその左右方向の略全長にわたって設けられている。反射部７４ａは基板取り付け台７４の上面から前下りに傾斜する傾斜面により構成されている。
【００４３】
基板７２、基板取り付け台７４の前部側は、発光体７３、反射部７４ａ側を含む部分が装飾レンズ６８に裏側から挿入され、その状態で基板取り付け台７４が左右方向の中央部、両端部のネジ等により装飾レンズ６８に固定されている。基板７２の後部側は装飾レンズ６８から後方に突出しており、その突出部分の上面にＩＣ等の制御素子８３が装着されている。制御素子８３は発光体７３及び第４発光装飾手段２２の発光体７９の点滅を制御するようになっている。
【００４４】
このように構成すれば、発光体７３が発光したときに、その光が基板取り付け台７４の反射部７４ａを介して装飾レンズ６８の乱反射部６８ａへと照射し、その乱反射部６８ａで光が乱反射するため、前側から見た場合に第３発光装飾手段２１の装飾レンズ６８を左右方向の帯状に発光させることができる。
【００４５】
また基板取り付け台７４の前端部側に反射部７４ａがあり、基板７２の下面側の発光体７３からの光をその反射部７４ａで装飾レンズ６８の乱反射部６８ａへと前側に反射させるようにしているので、基板取り付け台７４と別に反射部７４ａを設ける場合に比較して、第３発光装飾手段２１の構造を簡単にできると共に、第３発光装飾手段２１の上下幅を薄く構成でき、幅の狭い箇所にでも第３発光装飾手段２１を配置することができる。しかも装飾レンズ６８を箱状に構成しているため、装飾レンズ６８が帯状であるにも拘わらず、その強度が向上し取り扱いを容易に行うことができる。
【００４６】
第４発光装飾手段２２は、図１４、図１６、図１７に示すように、前面側に配置された装飾レンズ５５と、この装飾レンズ５５の裏側に配置された発光手段７６と、上下の各発光手段７６の間を遮光する遮光ケース７７とを備えている。装飾レンズ５５はその上下の発光装飾手段１９，２０の装飾レンズ４０，４１の各レンズ部４０ａ，４１ａ、４０ｂ，４１ｂに対応して横断面三角形状に一体に形成されており、その内面側に、発光手段７６からの光の乱反射により発光させる乱反射部５５ａが形成されている。なお、装飾レンズ５５は、その上下の装飾レンズ４０，４１よりも若干前側に突出している。
【００４７】
発光手段７６は前端側が装飾レンズ５５の内面形状に沿って三角形状に形成され且つ板面を上下にして略水平状に配置された基板７８と、この基板７８の前端部の前内向き縁部の下面側に左右方向に所定間隔をおいて装着された複数個の発光体７９と、上側に基板７８がネジ７８ａ等により固定された基板取り付け台８０とを備え、基板取り付け台８０の前端部の前内向き縁部に、発光体７９からの光を装飾レンズ５５の乱反射部５５ａへと反射させる反射部８０ａがその略全長にわたって設けられている。反射部８０ａは基板取り付け台８０の上面から前下りに傾斜する傾斜面により構成されている。基板取り付け台８０はパネル体１６の挿入孔７０に裏側から挿入され、その後端外周の取り付け部８０ｂがパネル体１６にネジ８０ｃにより固定されている。基板７８はコネクタ等を介して第３発光装飾手段２１の基板７２に接続されている。
【００４８】
遮光ケース７７は後部側が発光手段７６に着脱自在に外嵌する偏平な矩形筒状であって、その前側に上下一対の板状の遮光部７７ａが設けられている。遮光部７７ａは装飾レンズ５５の上下両端部に対応しており、その前端が装飾レンズ５５の裏側に近接して配置され、発光手段７６からの上下の装飾レンズ４０，４１への光、上下の発光手段４２，４３から装飾レンズ５５への光を相互に遮光するようになっている。
【００４９】
このように構成すれば、発光体７９が発光したときに、その光が基板取り付け台８０の反射部８０ａを介して装飾レンズ５５の乱反射部５５ａへと照射し、その乱反射部５５ａで光が乱反射するため、前側から見た場合に第４発光装飾手段２２の装飾レンズ５５の前内向き部分を左右方向の帯状に発光させることができる。
【００５０】
また基板取り付け台８０の前端部側に反射部８０ａがあり、基板７８の下面側の発光体７９からの光をその反射部８０ａで装飾レンズ５５の乱反射部５５ａへと前側に反射させるようにしているので、第３発光装飾手段２１と同様に第４発光装飾手段２２の構造を簡単にでき、その上下幅を薄く構成できる。
【００５１】
しかも装飾レンズ５５は第１発光装飾手段１９、第２発光装飾手段２０の装飾レンズ４０，４１と一体であるため、夫々を別々に構成する場合に比較して構造を簡単にでき、強度も容易に確保できる。更に発光手段７６の上下には遮光ケース７７の遮光部７７ａがあるため、第４発光装飾手段２２とその上下の各発光装飾手段１９，２０との相互間での光の漏れを容易に防止することができる。
【００５２】
以上、本発明の実施例について詳述したが、本発明はこの実施例に限定されるものではなく、本発明の趣旨を逸脱しない範囲で種々の変更が可能である。例えば、実施例では第１発光装飾手段１９、第２発光装飾手段２０の装飾レンズ４０，４１は、前内向きの第１レンズ部４０ａ，４１ａと前外向きの第２レンズ部４０ｂ，４１ｂとを傾斜状に備えた構造になっているが、第１レンズ部４０ａ，４１ａ、第２レンズ部４０ｂ，４１ｂは異なる部分、向きであれば十分であり、また概ね直線状に傾斜する形状の他、円弧状、凹凸面状等に構成することも可能である。第１発光装飾手段１９、第２発光装飾手段２０は左右逆向きに設けてもよい。
【００５３】
その他、第１レンズ部４０ａ，４１ａと第２レンズ部４０ｂ，４１ｂとを備えた装飾レンズ４０，４１であれば、その各レンズ部４０ａ，４１ａ、４０ｂ，４１ｂが左右方向、斜め方向、上下方向の何れに配置される場合でも、装飾レンズ４０，４１の長短を問わず、第１発光装飾手段１９、第２発光装飾手段２０と同様に実施することも可能である。
【００５４】
放音ダクト５９が角筒状の場合、それを発光させる発光手段６１は放音ダクト５９の各面に対応して設けてもよいし、隣り合う２面に設けてもよい。勿論、放音ダクト５９は角筒以外の形状でもよく、その場合には、放音ダクト５９に対して周方向に１個又は複数個の発光手段６１を配置すればよい。
【００５５】
放音ダクト５９の乱反射部５９ａは、その内周面に設けてもよいし、外周面と内周面との両方に設けてもよい。放音ダクト５９の後端面又は前端面に乱反射部５９ａを設けて、放音ダクト５９の後端から直接又は導光手段を介して間接的に乱反射部５９ａへと光を照射するように発光手段６１を設けてもよい。装飾レンズ４０と放音ダクト５９は別体でもよい。発光手段６１の前側に、第１発光装飾手段１９の発光手段４２とは別に遮光板を設けてもよい。上スピーカ２３、放音ダクト５９等は第２発光装飾手段２０の裏側に設けてもよい。
【００５６】
第３発光装飾手段２１、第４発光装飾手段２２は上下逆に設けてもよい。第４発光装飾手段２２の装飾レンズ５５の前面側は湾曲状、凹凸状でも良く、その湾曲面、凹凸面に乱反射部を設けることにより、同様に発光させることができる。その場合には、湾曲面、凹凸面に沿って基板取り付け台８０側に連続的に反射部８０ａを形成してもよいし、多数の反射部８０ａを屈曲状に形成してもよい。また左右幅の狭い装飾レンズ５５，６８を上下方向、斜め方向に配置する場合にも、第３発光装飾手段２１、第４発光装飾手段２２と同様に実施できる。
【００５７】
また遊技媒体としてメダルを使用するスロットマシンを例示しているが、メダル以外の遊技媒体を使用するものでもよい。更にパチンコ機その他の弾球遊技機、又はスロットマシン、弾球遊技機以外の遊技機においても同様に実施することが可能である。
【図面の簡単な説明】
【００５８】
【図１】本発明の一実施例に係るスロットマシンの全体斜視図である。
【図２】筐体側の正面図である。
【図３】前面パネルの上部側の正面図である。
【図４】第１、第２発光装飾手段側の左側面断面図である。
【図５】第１、第２発光装飾手段側の右側面断面図である。
【図６】要部の分解斜視図である。
【図７】第１発光装飾手段側の平面断面図である。
【図８】第２発光装飾手段側の平面面図である。
【図９】放音ダクト側の平面断面図である。
【図１０】放音ダクト側の正面断面図である。
【図１１】（Ａ）は第１発光装飾手段の発光手段の平面図、（Ｂ）はその側面図である。
【図１２】発光手段の側面図である。
【図１３】第３発光装飾手段側の側面断面図である。
【図１４】第４発光装飾手段側の側面断面図である。
【図１５】（Ａ）は発光手段の平面断面図、（Ｂ）はその正面断面図である。
【図１６】第４発光装飾手段の発光手段の平面断面図である。
【図１７】第４発光装飾手段の発光手段の正面断面図である。
【符号の説明】
【００５９】
２３  スピーカ
４０，４１，５５，６８  装飾レンズ
４０ａ，４１ａ  第１レンズ部
４０ｂ，４１ｂ  第２レンズ部
４２，４３，６１，６９，７６  発光手段
４４，４５，７２，７８  基板
４６ａ，４６ｂ，４７ａ，４７ｂ，６３，７３，７９  発光体
４８ｃ，４９ｃ，４８ｄ，４９ｄ，７４ａ，８０ａ  反射部
４８ｂ，４９ｂ  開口
５０，５１  発光カバー
５２，５３，６４，７４，８０  基板取り付け台
５５ａ，５９ａ，６８ａ，７４ａ，８０ａ  乱反射部
５８  放音口
５９  放音ダクト
【図１】
2007313011.tif 000003
【図２】
2007313011.tif 000004
【図３】
2007313011.tif 000005
【図４】
2007313011.tif 000006
【図５】
2007313011.tif 000007
【図６】
2007313011.tif 000008
【図７】
2007313011.tif 000009
【図８】
2007313011.tif 000010
【図９】
2007313011.tif 000011
【図１０】
2007313011.tif 000012
【図１１】
2007313011.tif 000013
【図１２】
2007313011.tif 000014
【図１３】
2007313011.tif 000015
【図１４】
2007313011.tif 000016
【図１５】
2007313011.tif 000017
【図１６】
2007313011.tif 000018
【図１７】
2007313011.tif 000019